(57)【要約】【課題】光コネクタのフェルール端面、特に多心光コネクタのフェルール端面の周辺部の清掃を十分に行える光コネクタ清掃具を提供する。【解決手段】光コネクタ清掃具１は、根元部分１３が太く、先端部分のフェルール端面５６との当接部１４が直線状である楔形状部１２を有する弾性材料製のパドル１０と、パドル１０を覆う、マイクロファイバで編んだ布製のサック２０とを具備している。【選択図】      図１
2005134772.tif 000002
【特許請求の範囲】
【請求項１】
光コネクタのフェルール端面を清掃する光コネクタ清掃具であって、
根元部分が太く、先端部分の前記フェルール端面との当接部が直線状である楔形状部を有する弾性材料製のパドルと、
該パドルを覆う、マイクロファイバで編んだ布製のサックとを具備することを特徴とする光コネクタ清掃具。
【請求項２】
前記パドルが、前記楔形状部を二股状に２個有することを特徴とする請求項１記載の光コネクタ清掃具。
【請求項３】
前記パドルを前記フェルール端面に沿う水平方向に往復移動させる往復移動機構を具備することを特徴とする請求項１又は２記載の光コネクタ清掃具。
【請求項４】
前記往復移動機構が、カム面を有する操作部材と、前記カム面に係合するカムフォロアを有すると共に前記パドルを保持する保持部材と、該保持部材を前記水平方向に付勢するばね部材とを具備することを特徴とする請求項３記載の光コネクタ清掃具。
【発明の詳細な説明】
【技術分野】
【０００１】
本発明は、光コネクタのフェルール端面を清掃するのに使用される光コネクタ清掃具に関する。
【背景技術】
【０００２】
光ファイバ相互間の接続に用いられる光コネクタは、光ファイバの端面同士をマイクロメータオーダの高精度に整列させて直接突き合わせる必要がある。このため、光コネクタを使用する際には、接続作業の前にフェルール端面を清浄にしなければならない。
この光コネクタのフェルール端面を清掃するのに使用される光コネクタ清掃具として、例えば、図１４に示すものが知られている（特許文献１参照）。
【０００３】
この光コネクタ清掃具１０１は、図１４（Ａ）に示すように、棒状の芯部材１０２と、芯部材１０２の先端に設けられた弾性体１０３と、この弾性体１０３を覆う清掃布１０４とを備えて構成されている。
そして、光コネクタのフェルール端面を清掃する際には、図１４（Ｂ）に示すように、光コネクタ清掃具１０１の先端を光コネクタ１１０の先端から差し込み、芯部材１０２をつかんで回転及び挿抜を行う。即ち、光コネクタ清掃具１０１の先端を光コネクタ１１０の先端から差し込み、弾性体１０３の先端をフェルール１１１の端面に押し付けて変形させながら清掃布１０４を挟んで密着する。そして、芯部材１０２をつかんで回転させることにより、フェルール１１１の端面のゴミや油分を清掃布１０４により取り除くのである。
【０００４】
また、光コネクタ清掃具の他の例として、例えば、図１５に示すものが知られている（特許文献２参照）。
この光コネクタ清掃具２０１は、清掃用ハウジング２０２と、清掃部材２０３と、清掃用駆動軸２０４とを備えている。清掃用ハウジング２０２は、基板２０５の前端部（図１５（Ａ）において左端部）に装着されている。そして、清掃用駆動軸２０４は、清掃用ハウジング２０２の後方に配置されている支持部材２０６及び振幅制御部材２０７によって基板２０５に装着されている。支持部材２０６は、清掃用駆動軸２０４を所定角度の範囲で回動自在に支持する支点となる部材である。また、振幅制御部材２０７は、清掃用駆動軸２０４の軸方向に直交する方向の回動範囲を規制する部材である。清掃用駆動軸２０４は、図１５（Ａ）に示す矢印方向（軸方向に直交する方向）に支持部材２０６を中心に回動し、その回動範囲が振幅制御部材２０７により規制される。そして、清掃用駆動軸２０４の前端側には、清掃部材２０３が着脱自在に取り付けられている。清掃具２０３の前端には、無塵清掃紙が巻回されている。
【０００５】
そして、図１５（Ｂ）に示すように、機器内に実装されるバックパネル２０８に固着された多心光コネクタ２１０のフェルール２１１の接続端面を清掃するには、先ず、バックパネル２０８に装着されたハウジング２０９に多心光コネクタ２１０を固着した状態で、光コネクタ清掃具２０１の清掃用ハウジング２０２を嵌合する。清掃用ハウジング２０２内には、清掃用駆動軸２０４の前端に取り付けられた清掃部材２０３が収納されていて、清掃部材２０３の前端が多心光コネクタ２１０のフェルール２１１の接続端面を押圧する状態で接する。
【０００６】
この状態で、清掃用駆動軸２０４を支持部材２０６を中心に回動させると、清掃部材２０３の前端がフェルール２１１の接続端面を押圧した状態で図１５（Ｂ）の矢印方向に往復動してその接続端面を清掃するのである。
なお、図１５に示す光コネクタ清掃具２０１の使用対象となる、一般にＭＴ光コネクタと呼ばれている嵌合ピン位置あわせ方式の多心光コネクタは、例えば、図１６（特許文献３参照）に示すように、左右の嵌合ピン穴３０２の間に複数（図１６にあっては４個）の光ファイバ穴３０３を整列配置した略直方体形状のフェルール３０１を用いる。フェルール３０１の光ファイバ穴３０３には、光ファイバ３０５が収容固定され、フェルール３０１の端面３０６は研磨されている。光ファイバ３０５は、光ファイバテープ心線３０４の各光ファイバ素線の被覆を除去した裸ファイバである。
【特許文献１】特開平５−１８６５９５号公報
【特許文献２】特開平１０−２２７９４３号公報
【特許文献３】特開２００１−２４９２４９号公報
【発明の開示】
【発明が解決しようとする課題】
【０００７】
しかしながら、これら従来の光コネクタ清掃具１０１，２０１にあっては、以下の問題点があった。
即ち、光コネクタ清掃具１０１の場合、弾性体１０３の形状が紡錘形と考えられる。このため、図１６に示すような、左右の嵌合ピン穴３０２の間に複数の光ファイバ穴３０３を整列配置した幅広のフェルール端面３０６を有する多心光コネクタを清掃する場合、端面３０６の中央部は十分に清掃できるが、その周辺部は十分に清掃できないという問題があった。
また、光コネクタ清掃具２０１の場合、清掃部材２０３の前端がフェルール２１１の接続端面を押圧した状態で往復動してその接続端面を清掃するが、清掃部材２０３の前端の移動軌跡は円弧を描く。このため、フェルール２１１の端面中心部は十分に清掃できるが、中心部から離れた部分は十分に清掃できないという問題があった。
従って、本発明は上述の問題点に鑑みてなされたものであり、その目的は、光コネクタのフェルール端面、特に多心光コネクタのフェルール端面の周辺部の清掃を十分に行える光コネクタ清掃具を提供することにある。
【課題を解決するための手段】
【０００８】
上記問題を解決するため、本発明のうち請求項１に係る光コネクタ清掃具は、光コネクタのフェルール端面を清掃する光コネクタ清掃具であって、根元部分が太く、先端部分の前記フェルール端面との当接部が直線状である楔形状部を有する弾性材料製のパドルと、該パドルを覆う、マイクロファイバで編んだ布製のサックとを具備することを特徴としている。
この光コネクタ清掃具によれば、パドルの当接部を、サックを挟んで光コネクタのフェルール端面に当接し、パドルをフェルール端面に沿って移動させることにより、フェルール端面を清掃できる。この清掃に際し、パドルが弾性材料製でその当接部が直線状に形成されているため、光コネクタのフェルール端面、特に多心光コネクタのフェルール端面の周辺部の清掃を十分に行える。そして、パドルは、根元部分が太く、先端部分の当接部が直線状である楔形状に形成されているため、根元部分がしっかりしているとともに先端部分が撓みやすく、フェルール端面の拭き取り効果が高い。なお、「マイクロファイバ」とは、１デニール（１デジテックス）以下のファイバをいう。
【０００９】
本発明のうち請求項２に係る光コネクタ清掃具は、請求項１記載の発明において、前記パドルが、前記楔形状部を二股状に２個有することを特徴としている。
この光コネクタ清掃具によれば、パドルの当接部を、サックを挟んで光コネクタのフェルール端面に当接したときに、二股状の楔形状部のそれぞれが開いてそれぞれの当接部が開き、パドルをフェルール端面に沿って移動させることにより、フェルール端面を清掃できる。この清掃に際し、それぞれの当接部が開くことにより、当接部の一方がフェルール端面の周縁までアクセスでき、清掃能力が向上する。
【００１０】
本発明のうち請求項３に係る光コネクタ清掃具は、請求項１又は２記載の発明において、前記パドルを前記フェルール端面に沿う水平方向に往復移動させる往復移動機構を具備することを特徴としている。
この光コネクタ清掃具によれば、往復移動機構により、パドルをフェルール端面に沿って水平方向に移動させ、フェルール端面を均等に清掃できる。
本発明のうち請求項４に係る光コネクタ清掃具は、請求項３記載の発明において、前記往復移動機構が、カム面を有する操作部材と、前記カム面に係合するカムフォロアを有すると共に前記パドルを保持する保持部材と、該保持部材を前記水平方向に付勢するばね部材とを具備することを特徴としている。
この光コネクタ清掃具によれば、操作部材を操作すると、カム作用により保持部材がフェルール端面に沿う水平方向に往復移動し、これに伴って保持部材に保持されたパドルがフェルール端面に沿う水平方向に往復移動する。
【発明の効果】
【００１１】
本発明のうち請求項１に係る光コネクタ清掃具によれば、根元部分が太く、先端部分のフェルール端面との当接部が直線状である楔形状部を有する弾性材料製のパドルと、該パドルを覆う、マイクロファイバで編んだ布製のサックとを具備するので、光コネクタのフェルール端面、特に多心光コネクタのフェルール端面の周辺部の清掃を十分に行える。そして、パドルは、根元部分が太く、先端部分の当接部が直線状である楔形状に形成されているため、根元部分がしっかりしているとともに先端部分が撓みやすく、フェルール端面の拭き取り効果が高いという効果が得られる。
【００１２】
また、本発明のうち請求項２に係る光コネクタ清掃具によれば、請求項１記載の発明において、前記パドルが、前記楔形状部を二股状に２個有するので、フェルール端面の清掃に際し、２個の当接部が開くことにより、当接部の一方がフェルール端面の周縁までアクセスでき、清掃能力が向上する。
更に、本発明のうち請求項３に係る光コネクタ清掃具によれば、請求項１又は２記載の発明において、前記パドルを前記フェルール端面に沿う水平方向に往復移動させる往復移動機構を具備するので、往復移動機構により、パドルをフェルール端面に沿って水平方向に移動させ、フェルール端面を均等に清掃できる。
【００１３】
本発明のうち請求項４に係る光コネクタ清掃具によれば、請求項３記載の発明において、前記往復移動機構が、カム面を有する操作部材と、前記カム面に係合するカムフォロアを有すると共に前記パドルを保持する保持部材と、該保持部材を前記水平方向に付勢するばね部材とを具備するので、操作部材を操作すると、カム作用により保持部材がフェルール端面に沿う水平方向に往復移動し、これに伴って保持部材に保持されたパドルをフェルール端面に沿う水平方向に往復移動させることができる。
【発明を実施するための最良の形態】
【００１４】
次に本発明の実施形態を図面を参照して説明する。図１は本発明に係る光コネクタ清掃具の第１実施形態のパドルとサックの分解斜視図である。図２は図１に示す光コネクタ清掃具のパドルとサックの組立状態を示し、（Ａ）は正面図、（Ｂ）は右側面図である。図３は図１に示す光コネクタ清掃具のパドルを示し、（Ａ）は正面図、（Ｂ）は右側面図である。
図１及び図２に示すように、光コネクタ清掃具１は、光コネクタ５０（図４参照）のフェルール端面５６を清掃するものであって、パドル１０と、サック２０とを備えている。
【００１５】
パドル１０は、図３に示すように、略直方体形状の支持部１１と、支持部１０から延びる楔形状部１２とを備え、弾性材料により製造される。楔形状部１２は、根元部分１３が太く、先端部分のフェルール端面５６との当接部１４が直線状に形成されている。当接部１４の直線が延びる方向の幅は、フェルール端面５６全体を清掃可能にするため、フェルール端面５６の幅（図４（Ａ）において紙面に対して垂直方向の幅）よりもやや大きくなっている。パドル１０に使用可能な弾性材料としては、ＰＢＴ、ポリアミド、ＰＶＣ、ＡＢＳ等の樹脂、シリコンゴム、ウレタンゴム等の硬質ゴム、アルミニウム、銅等の金属、プレス紙等の紙、木、及び竹が好適である。また、この弾性材料としては、導電性材料であることが好ましく、樹脂や硬質ゴムの場合には導電性粒子を混入する等により導電性にすることが好ましい。
【００１６】
サック２０は、マイクロファイバで編んだ布製で、パドル１０の楔形状部１２を覆う形状に製造される。ここで、「マイクロファイバ」とは、１デニール以下のファイバをいう。
光コネクタ５０のフェルール端面５６の清掃は、コネクタの接続作業の前に、サック２０をパドル１０の楔形状部１２を覆うようにパドル１０に被着してから行う。
図４は清掃作業の際の光コネクタ清掃具の作用を説明するための図で、（Ａ）はパドルをフェルール端面に当接する前の説明図、（Ｂ）はパドルをフェルール端面に当接した後の説明図、（Ｃ）はパドルを往復移動する際の説明図である。
【００１７】
先ず、光コネクタ５０を簡単に説明すると、図４に示すように、一般にＭＴ光コネクタと呼ばれている嵌合ピン位置あわせ方式の多心光コネクタであって、コネクタハウジング５１と、コネクタハウジング５１内に収容されたフェルール５２とを備えている。フェルール５２には、相手コネクタ（図示せず）の位置決めピンが嵌合される１対のピン穴５３が左右方向に離れて形成されている。これらピン穴５３間には、複数（本実施形態にあっては８個）の光ファイバ穴５４が整列配置され、各光ファイバ穴５４には、光ファイバ５５が収容固定されている。この光コネクタ５０は、機器内に実装されるバックボード（図示せず）に予め装着されている。
【００１８】
清掃作業の際には、図４（Ａ）に示すように、光コネクタ清掃具１をフェルール５２のフェルール端面５６に相対するようにフェルール端面５６の左右方向一端側に位置させる。このとき、パドル１０の当接部１４の直線が延びる方向が、フェルール端面５６に沿う水平方向（図４（Ａ）における左右方向）に対して直交するように（図４（Ａ）において紙面に対して直交するように）、光コネクタ清掃具１を配置する。
そして、光コネクタ清掃具１を図４（Ａ）に示す矢印方向に進行させてパドル１０の当接部１４を、図４（Ｂ）に示すように、サック２０を挟んでフェルール端面５６に当接させる。
【００１９】
次いで、パドル１０を図４（Ｃ）に示すようにフェルール端面５６の左右方向一端側から他端側へフェルール端面５６に沿って矢印Ａ方向（水平方向）に往動させる。そして、パドル１０の当接部１４がフェルール端面５６の左右方向他端縁まできたら往動動作を終了し、フェルール端面５６の左右方向一端側に向けて矢印Ｂ方向（水平方向）に復動させ、パドル１０の当接部１４がフェルール端面５６の左右方向一端端縁まできたら復動動作を終了する。この往復移動動作を繰り返すことにより、フェルール端面５６にあるゴミや油分等の異物をサック２０により取り除くことができる。この清掃に際し、パドル１０が弾性材料製でその当接部１４が直線状に形成されているため、多心光コネクタ５０のフェルール端面５６の中央部のみならず、周辺部の清掃を十分に行える。そして、パドル１０は、根元部分１３が太く、先端部分の当接部１４が直線状である楔形状部１２を有するため、根元部分１３がしっかりしているとともに先端部分が撓みやすく、フェルール端面５６の拭き取り効果が高い。
【００２０】
なお、フェルール端面５６の清掃時においては、フェルール端面５６との摩擦でパドル１０が帯電し、フェルール端面５６に付着して性能劣化を引き起こす可能性のある異物を引き寄せるおそれがあるが、パドル１０に導電性材料を使用することにより、異物の引き寄せを防止することができる。
また、パドル１０の弾性材料として、紙、木及び竹を用いた場合には、その廃棄を容易に行える。また、パドル１０の弾性材料として竹を用いた場合には、塵の発生しにくい構造とすることができる。
【００２１】
次に、本発明に係る光コネクタ清掃具の第２実施形態を図５乃至図８を参照して説明する。図５は本発明に係る光コネクタ清掃具の第２実施形態のパドルとサックの分解斜視図である。図６は図５に示す光コネクタ清掃具のパドルとサックの組立状態を示し、（Ａ）は正面図、（Ｂ）は右側面図である。図７は図５に示す光コネクタ清掃具のパドルを示し、（Ａ）は正面図、（Ｂ）は右側面図である。図８は清掃作業の際の光コネクタ清掃具の作用を説明するための図で、（Ａ）はパドルをフェルール端面に当接する前の説明図、（Ｂ）はパドルをフェルール端面に当接した後の説明図、（Ｃ）はパドルを往復移動する際の説明図である。  図５及び図６に示すように、光コネクタ清掃具１は、光コネクタ５０のフェルール端面５６（図８参照）を清掃するものであって、パドル１０と、サック２０とを備えている。
【００２２】
パドル１０は、図７に示すように、略直方体形状の支持部１１と、支持部１０から延びる二股状の２個の楔形状部１２とを備え、弾性材料により製造される。各楔形状部１２は、根元部分１３が太く、先端部分のフェルール端面５６との当接部１４が直線状に形成されている。当接部１４の幅は、フェルール端面５６全体を清掃可能にするため、フェルール端面５６の幅よりもやや大きくなっている。パドル１０に使用可能な弾性材料としては、図１に示したパドル１０と同様に、ＰＢＴ、ポリアミド、ＰＶＣ、ＡＢＳ等の樹脂、シリコンゴム、ウレタンゴム等の硬質ゴム、アルミニウム、銅等の金属、プレス紙等の紙、木、及び竹が好適である。また、この弾性材料としては、図１に示したパドル１０と同様に、導電性材料であることが好ましく、樹脂や硬質ゴムの場合には導電性粒子を混入する等により導電性にすることが好ましい。
【００２３】
サック２０は、マイクロファイバで編んだ布製で、パドル１０の楔形状部１２を覆う形状に製造される。
光コネクタ５０のフェルール端面５６の清掃は、コネクタの接続作業の前に、パドル１０の２個の楔形状部１２を覆うようにサック２０をパドル１０に被着してから行う。光コネクタ５０は、図４に示すものと同様の構成で、一般にＭＴ光コネクタと呼ばれている嵌合ピン位置あわせ方式の多心光コネクタである。図８における符号５１、５３、５４，５５は、それぞれコネクタハウジング、ピン穴、光ファイバ穴、光ファイバである。光コネクタ５０は、機器内に実装されるバックボード（図示せず）に予め装着されている。
【００２４】
清掃作業の際には、図８（Ａ）に示すように、光コネクタ清掃具１をフェルール５２のフェルール端面５６に相対するようにフェルール端面５６の左右方向一端側に位置させる。このとき、パドル１０の各当接部１４の直線が延びる方向が、フェルール端面５６に沿う水平方向（図８（Ａ）における左右方向）に対して直交するように（図８（Ａ）において紙面に対して直交するように）、光コネクタ清掃具１を配置する。
【００２５】
そして、光コネクタ清掃具１を図８（Ａ）に示す矢印方向に進行させてパドル１０の各当接部１４を、図８（Ｂ）に示すように、サック２０を挟んでフェルール端面５６に当接させる。このとき、２個の当接部１４がそれぞれの根元部分１３近傍を中心に外側に広がって開く。このため、２個の当接部１４のうちの一方の当接部１４（図８（Ｂ）にあっては左側の当接部１４）がフェルール端面５６の周縁まで容易にアクセスする。
【００２６】
次いで、パドル１０を図８（Ｃ）に示すようにフェルール端面５６の左右方向一端側から他端側へフェルール端面５６に沿って矢印Ａ方向（水平方向）に往動させる。そして、パドル１０の他方の当接部１４がフェルール端面５６の左右方向他端周縁まできたら往動動作を終了し、フェルール端面５６の左右方向一端側に向けて矢印Ｂ方向（水平方向）に復動させ、パドル１０の当接部１４がフェルール端面５６の左右方向一端周縁まできたら復動動作を終了する。この往復移動動作を繰り返すことにより、フェルール端面５６にあるゴミや油分等の異物をサック２０により取り除くことができる。この清掃に際し、パドル１０が弾性材料製でその当接部１４が直線状に形成されているため、多心光コネクタ５０のフェルール端面５６の中央部のみならず、周辺部の清掃を十分に行える。そして、パドル１０は、根元部分１３が太く、先端部分の当接部１４が直線状である楔形状部１２を有するため、根元部分１３がしっかりしているとともに先端部分が撓みやすく、フェルール端面５６の拭き取り効果が高い。
【００２７】
また、フェルール端面５６の清掃に際し、それぞれの当接部１４が開くことにより、当接部１４の一方（図８（Ｂ）にあっては左側の当接部１４、図８（Ｃ）にあっては右側の当接部１４）がフェルール端面５６の周縁までアクセスでき、清掃能力が向上する。
フェルール端面５６の清掃においては、図９乃至図１３に示す、パドル１０をフェルール端面５６に沿う水平方向（図１１（Ｂ）における矢印ＥＦ方向）に往復移動させる往復移動機構１００を用いる。図９は往復移動機構を前面斜め上方から見た斜視図である。図１０は往復移動機構を後面斜め上方から見た斜視図である。図１１は往復移動機構を示し、（Ａ）は平面図、（Ｂ）は（Ａ）の１１Ｂ−１１Ｂ線に沿う断面図である。図１２は前面斜め上方から見た往復移動機構の分解斜視図である。図１３は側面から見た往復移動機構の分解斜視図である。但し、図９乃至図１３においてはパドル及び光コネクタも共に示してある。また、図９乃至１３において、サックは図示していない。
【００２８】
図９乃至図１３において、往復移動機構１００は、清掃用ハウジング６０と、操作部材７０と、保持部材８０と、ばね部材９０とを備えている。
清掃用ハウジング６０は、図示しない基板の端部に実装されるものであり、ハウジング本体６１と、ハウジング本体６１を覆う蓋体６２とを備えている。ハウジング本体６１には、操作部材７０、保持部材８０及びばね部材９０を収容可能な複数のキャビティ６３が設けられている。各キャビティ６３は、ハウジング本体６１の前後方向（図１１（Ｂ）における左右方向）に貫通している。
【００２９】
操作部材７０は、ハウジング本体６１のキャビティ６３内に前後方向に移動可能に収容される前後方向に延びる基体部７１と、基体部７１の後端に設けられた操作部７２とを備えている。そして、基体部７１の両側部には、図１２に示すように、複数対のカム板部７３が上方に突出形成され、各カム板部７３の前縁には、上から下にかけて前方斜め下方に傾斜するカム面７４が形成されている。
【００３０】
また、保持部材８０は、操作部材７０の基体部７１上に前後方向に移動可能に実装される前後方向に延びる板状部８１を備えている。板状部８１の両側面には、操作部材７０のカム面７４に係合する複数対のカムフォロア８２が突出形成されている。カムフォロア８２は円筒状体で構成される。また、板状部８１の前端部には、パドル１０の支持部１１を保持する保持部８３が設けられている。一方、図１１（Ｂ）に最もよく示すように、板状部８１の後端部８１ａの周囲には圧縮ばね８４が配置されている。この圧縮ばね８４は、板状部８１の段部８１ｂとハウジング本体６１の後壁との間に位置して操作部材７０の基体部７１上に実装された保持部材８０を前方向に付勢するものである。保持部材８０の前方向の移動規制は、保持部８３がハウジング本体６１の前壁に当接することにより達成される。
【００３１】
また、ばね部材９０は、保持部材８０の板状部８１上に固定される平板部９１と、平板部９１から切り起こされた２個のばね板部９２とを備え、金属板を打抜き及び曲げ加工することによって形成される。図１１（Ｂ）に示すように、ばね部材９０のばね板部９２は、平板部９１が保持部材８０の板状部８１上に固定された状態で、蓋体６２の天井面に当接し、保持部材８０を水平方向（矢印Ｆ方向）に付勢するようになっている。
【００３２】
次に、往復移動機構１００によるパドル１０の往復移動動作を説明する。
図１１（Ｂ）に示すように、フェルール端面５６の左右方向一端側に２個の当接部１４が当接した状態で、操作部材７０の操作部７２を矢印Ｃ方向に前進させると、この前進に伴って保持部材８０のカムフォロア８２がカム面７４に従ってカム作用により矢印Ｅ方向に移動し、これにより保持部材８０に保持されているパドル１０がフェルール端面５６の左右方向一端側から他端側へフェルール端面５６に沿って矢印Ｅ方向（水平方向）に往動する。
【００３３】
そして、操作部材７０の操作部７２を矢印Ｄ方向に後退させると、この後退に伴って保持部材８０のカムフォロア８２がカム面７４に従ってカム作用により矢印Ｆ方向に移動し、これにより保持部材８０に保持されているパドル１０がフェルール端面５６の左右方向他端側から一端側へフェルール端面５６に沿って矢印Ｆ方向（水平方向）に復動する。
この操作部材７０の前進及び後退操作によるパドル１０の往復移動動作を繰り返すことにより、フェルール端面５６にあるゴミや油分等の異物を取り除くことができる。
【００３４】
このように、往復移動機構１００により、パドル１０をフェルール端面５６に沿って水平方向（矢印ＥＦ方向）に移動させ、フェルール端面５６を均等に清掃できる。
なお、図９乃至図１３に示す往復移動機構１００は、図５及び図６に示した二股状の２個の楔形状部１２を有するパドル１０を往復移動するために用いられるのみでなく、図１及び図２に示した１個の楔形状部１２を有するパドル１０を往復移動するためにも用いられる。
以上、本発明の実施形態について説明してきたが、本発明はこれに限定されずに種々の変更、改良を行うことができる。
例えば、図１、図２、図５及び図６に示した光コネクタ清掃具１は、多心光コネクタのフェルール端面みならず、単心光コネクタのフェルール端面の清掃にも使用することができる。
【図面の簡単な説明】
【００３５】
【図１】本発明に係る光コネクタ清掃具の第１実施形態のパドルとサックの分解斜視図である。
【図２】図１に示す光コネクタ清掃具のパドルとサックの組立状態を示し、（Ａ）は正面図、（Ｂ）は右側面図である。
【図３】図１に示す光コネクタ清掃具のパドルを示し、（Ａ）は正面図、（Ｂ）は右側面図である。
【図４】清掃作業の際の光コネクタ清掃具の作用を説明するための図で、（Ａ）はパドルをフェルール端面に当接する前の説明図、（Ｂ）はパドルをフェルール端面に当接した後の説明図、（Ｃ）はパドルを往復移動する際の説明図である。
【図５】本発明に係る光コネクタ清掃具の第２実施形態のパドルとサックの分解斜視図である。
【図６】図５に示す光コネクタ清掃具のパドルとサックの組立状態を示し、（Ａ）は正面図、（Ｂ）は右側面図である。
【図７】図５に示す光コネクタ清掃具のパドルを示し、（Ａ）は正面図、（Ｂ）は右側面図である。
【図８】清掃作業の際の光コネクタ清掃具の作用を説明するための図で、（Ａ）はパドルをフェルール端面に当接する前の説明図、（Ｂ）はパドルをフェルール端面に当接した後の説明図、（Ｃ）はパドルを往復移動する際の説明図である。
【図９】往復移動機構を前面斜め上方から見た斜視図である。
【図１０】往復移動機構を後面斜め上方から見た斜視図である。
【図１１】往復移動機構を示し、（Ａ）は平面図、（Ｂ）は（Ａ）の１１Ｂ−１１Ｂ線に沿う断面図である。
【図１２】前面斜め上方から見た往復移動機構の分解斜視図である。
【図１３】側面から見た往復移動機構の分解斜視図である。
【図１４】従来例の光コネクタ清掃具を示し、（Ａ）は光コネクタ清掃具の断面図、（Ｂ）は光コネクタ清掃具でフェルール端面を清掃している状態の断面図である。
【図１５】従来の他の例の光コネクタ清掃具を示し、（Ａ）は光コネクタ清掃具の平面図、（Ｂ）は光コネクタ清掃具の使用状態を示す斜視図である。
【図１６】ＭＴ光コネクタと呼ばれる多心コネクタのフェルールの一例の斜視図である。
【符号の説明】
【００３６】
１  光コネクタ清掃具
１０  パドル
１２  楔形状部
１３  根元部分
１４  当接部
２０  サック
５０  光コネクタ
５６  フェルール端面
７０  操作部材
７４  カム面
８０  保持部材
８２  カムフォロア
９０  ばね部材
１００  往復移動機構
【図１】
2005134772.tif 000003
【図２】
2005134772.tif 000004
【図３】
2005134772.tif 000005
【図４】
2005134772.tif 000006
【図５】
2005134772.tif 000007
【図６】
2005134772.tif 000008
【図７】
2005134772.tif 000009
【図８】
2005134772.tif 000010
【図９】
2005134772.tif 000011
【図１０】
2005134772.tif 000012
【図１１】
2005134772.tif 000013
【図１２】
2005134772.tif 000014
【図１３】
2005134772.tif 000015
【図１４】
2005134772.tif 000016
【図１５】
2005134772.tif 000017
【図１６】
2005134772.tif 000018